(57)【要約】【課題】高効率な冷却構造を有し、低騒音、安全、かつスリムなリアプロジェクタを提供する。【解決手段】発熱部である光源ユニット１０１、光ファイバ１０３、および発熱部である電気回路基板１０２は、第一筐体１０９に内装され、光学ユニット１０４および非球面反射鏡１０６は、スクリーン１０５を前面とする第二筐体１１０の下部に内装されており、第一筐体１０９は、第二筐体１１０の傾斜させた背面側において第二筐体１１０とは隔離されて配置されている。【選択図】図２
2010102187.tif 000002
【特許請求の範囲】
【請求項１】
照明光束を出射する光源ユニットと、上記光源ユニットから出射された照明光束を導波する光ファイバと、上記光ファイバにより導波された照明光束を光変調装置により変調して映像光束を生成して出射する光学ユニットと、上記光学ユニットから出射された映像光束を拡大する非球面反射鏡と、上記非球面反射鏡で拡大された映像光束が投写されるスクリーンと、上記光源ユニットおよび上記光学ユニットを駆動する電気回路基板とで構成されたリアプロジェクタであって、
上記光源ユニット、上記光ファイバおよび上記電気回路基板は、第一筐体に内装され、
上記光学ユニットおよび上記非球面反射鏡は、上記スクリーンを前面とする第二筐体の下部に内装され、
上記第一筐体は、上記第二筐体の傾斜させた背面側において上記第二筐体とは隔離されて配置されていること特徴とするリアプロジェクタ。
【請求項２】
上記第二筐体は、密閉された構造であることを特徴とする請求項１に記載のリアプロジェクタ。
【請求項３】
上記光源ユニットは、レーザ光源を用いていることを特徴とする請求項１または２に記載のリアプロジェクタ。
【請求項４】
上記第一筐体は、外気を吸い込むための吸気口と、上方に設けた排気口から上記第一筐体内に吸い込んだ空気を強制的に外部に排気する第一筐体用冷却ファンを備えていることを特徴とする請求項１〜３のいずれか１項に記載のリアプロジェクタ。
【請求項５】
上記光学ユニットは、上記光変調装置を冷却するための冷却風を発生する光変調装置冷却用ファンと、上記光変調装置を制御する光変調装置制御基板と、上記光変調装置制御基板を電気遮蔽するシールドケースと、上記光変調装置冷却用ファンにより発生する冷却風を上記光変調装置制御基板と上記シールドケースの間の空間を通して上方に設けられた排気口から排出するように整流する光変調装置冷却器を備えることを特徴とする請求項２〜４のいずれか１項に記載のリアプロジェクタ。
【請求項６】
上記光学ユニットは、透過型画素ずらし素子や回転拡散板等の騒音発生源となる光学素子を備えることを特徴とする請求項２〜４のいずれか１項に記載のリアプロジェクタ。
【請求項７】
上記第二筐体の内部に冷却ファンを備えることを特徴とする請求項２に記載のリアプロジェクタ。
【発明の詳細な説明】
【技術分野】
【０００１】
この発明は、薄型ローハイトのリアプロジェクタに係わり、更に詳しくは、冷却効率のよいスリムな構造を有したリアプロジェクタに関する。
【背景技術】
【０００２】
従来、光学ユニットと光源ユニットが一体となっているリアプロジェクションテレビに関しては、光変調装置（例えば、液晶ライトバルブ、ＤＭＤ素子、反射型液晶など）への塵埃付着を抑制するために、光変調装置を密閉空間内部に設置して冷却し、光変調装置への塵埃の付着を抑制することにより画像劣化を防ぐリアプロジクタが示されている。（例えば、特許文献１：特開２０００−１８０８１２号公報参照）
また、塵埃を除去する手段によって塵埃を除去した空気を用いて光変調装置を冷却することにより、光路に塵埃が付着することを抑制するプロジェクタなども知られている。（例えば、特許文献２：特開２００６−１９５３６８号公報参照）
【０００３】
しかしながら、特許文献１の構成では光学ユニットおよび電源回路および光源ユニットを含む光学系を筐体の下部に設置する必要がある。
そのため、スクリーンの下部に「袴部」と呼ばれる大きなスペースが必要となり、キャビネットの奥行きを小さくして薄型化することが困難であり、薄型の液晶テレビやプラズマテレビに対して商品競争力を確保することが困難となっていた。
このような状況を打破するために、非球面反射鏡を投写光学系内に設置して広角投写することにより、奥行きを小さくしたプロジェクタが提案されている。（例えば、特許文献３：特開２００４−１３３４８３号公報参照）
しかしながら、特許文献３の構成ではスクリーン下部に大きなスペースが必要とされるため、ローハイト（ low hight ：背が低いこと）にすることが難しい。
【０００４】
それを避けるための構成として、筐体下部に設置した光学ユニットから出射した光を筐体天面に設置した平面ミラーで反射してスクリーンに投写することにより、投写距離を確保する方法が提案されている。（例えば、特許文献４：特開２００７−２４９１７１号公報参照）
しかしながら、特許文献４の構成では、箱状のデザインを避けることができず、薄型となってもスリムな印象が得られない。
このような問題を解決できる「薄型ローハイトでスリムなデザインの新たなリアプロジェクタ」の実現が望まれている。
【０００５】
また、従来のリアプロジェクタでは、光源に放電ランプを用いるために、点灯に時間がかかることや、光源の寿命が短く、定期的にランプを交換する必要があるなどの問題があった。
光源装置にレーザを用いれば、これらの問題が解決できるだけでなく、レーザ光源の単色性を生かして表示装置としての色域を人間の可視域全体まで拡大することができる。
そのため、レーザ光源をリアプロジェクタへ搭載することが望まれている。
しかし、レーザ光源を用いたリアプロジェクタを実現するには、高コストになることや、レーザ光源の冷却器が大きくなることなどの問題がある。
【０００６】
また、レーザ光源を使用する際に発生するスペックル（speckle）やシンチレーション（scintillation）を抑制するためには回転拡散板や振動スクリーンなどの可動光学素子を使用することが望ましく、冷却ファン以外にも多くの騒音の発生源がある。
そのような中で、信頼性の高い冷却装置をそなえつつ、製品の品位を高めるべく低騒音にすることは非常に難しい。
また、薄型ローハイトでスリムなデザインを実現しても、十分な冷却を可能とするために背面側に大きな空間を必要となると、設置する際の制約が多く、商品価値を損なうことになる。
【特許文献１】特開２０００−１８０８１２号公報
【特許文献２】特開２００６−１９５３６８号公報
【特許文献３】特開２００４−１３３４８３号公報
【特許文献４】特開２００７−２４９１７１号公報
【発明の開示】
【発明が解決しようとする課題】
【０００７】
この発明は、上述のような問題点を解決するためになされたものであり、スリムな印象を有していながら、高効率な冷却構造を実現し、低騒音かつ、安全なリアプロジェクタを提供することを目的とする。
【課題を解決するための手段】
【０００８】
この発明に係るリアプロジェクタは、照明光束を出射する光源ユニットと、上記光源ユニットから出射された照明光束を導波する光ファイバと、上記光ファイバにより導波された照明光束を光変調装置により変調して映像光束を生成して出射する光学ユニットと、上記光学ユニットから出射された映像光束を拡大する非球面反射鏡と、上記非球面反射鏡で拡大された映像光束が投写されるスクリーンと、上記光源ユニットおよび上記光学ユニット１０４を駆動する電気回路基板とで構成されたリアプロジェクタであって、上記光源ユニット、上記光ファイバおよび上記電気回路基板は、第一筐体に内装され、上記光学ユニットおよび上記非球面反射鏡は、上記スクリーンを前面とする第二筐体の下部に内装され、
上記第一筐体は、上記第二筐体の傾斜させた背面側において上記第二筐体とは隔離されて配置されている。
【発明の効果】
【０００９】
本発明によれば、第一筐体は、第二筐体の傾斜させた背面側において第二筐体とは隔離されて配置され、光学ユニットおよび非球面反射鏡は第二筐体の下部に内装されているので、筐体の奥行きや筐体下部が大型化することを抑制でき、スリムな印象のリアプロジェクタを実現できる。
また、発熱部となる光源ユニットおよび電気回路基板を第一筐体に纏めて内装しているので、これらの冷却用の排気ダクトを複雑に引き回すことなく、光源ユニットおよび電気回路基板を効率良く冷却できる。
【発明を実施するための最良の形態】
【００１０】
以下、図面に基づいて、本発明の一実施の形態例について説明する。
なお、各図間において、同一符号は同一あるいは相当のものであることを表す。
実施の形態１．
図１は、本発明の実施の形態１によるリアプロジェクタの外観を示す斜視図である。
なお、図１において、１０５はリアプロジェクタのスクリーンであり、Ｏ（×印）はスクリーン１０５の中心（中央）である。
図２は、図１に示した本実施の形態によるリアプロジェクタのスクリーン１０５の中心“Ｏ”を通る縦断面における断面図であり、図３は、図２のＡ−Ａ′面での横断面図である。
【００１１】
図２、図３において、１０１はレーザ光源ユニット（以下、単に光源ユニットとも略す）、１０２は電気回路基板、１０３はレーザ光源ユニット１０１から出射した光束を導波して均一化するバンドル（bundle）光ファイバ、１０４はバンドル光ファイバ１０３によって導かれた照明光束から映像光束を生成する光学ユニット、１０５は映像光束が投影されるスクリーン、１０６は光学ユニット１０４から出射した映像光束をスクリーンに拡大投写する非球面反射鏡、１０７はリアプロジェクタの奥行きを短くするために光学ユニット１０４から出射した映像光束を折り返す平面ミラーである。
１０８は、光学ユニット１０４、非球面反射鏡１０６および平面ミラー１０７を所定の精度に支持する光学ユニット支持台である。
【００１２】
なお、電気回路基板１０２は、例えばレーザ光源ユニット１０１や光学ユニット１０４などを駆動するために、リアプロジェクタ全体に電力を供給したり、入出力信号を処理したりする基板であり、リアプロジェクタ内における主要な発熱部の一部である。
また、バンドル（bundle）光ファイバとは、一方の端が各色のレーザ光源に繋がり、他端が後述するインテグレータロッドに繋がった光ファイバを束ねたものである。
【００１３】
図２に示すように、本実施の形態によるリアプロジェクタは、互いに隔離された第一筐体１０９と第二筐体１１０で構成されている。
第一筐体１０９は、第二筐体１１０の傾斜させた背面側に設置されており、レーザ光源ユニット１０１、およびレーザ光源ユニット１０１や第二筐体１１０に内装されている光学ユニット１０４を駆動する電源部などを搭載した電気回路基板１０２を内装しており、上部および側面に開口部（吸気口や排気口）を備えている。
第二筐体１１０は、光学ユニット１０４、非球面反射鏡１０６、平面ミラー１０６および光学ユニット支持台１０８を内装し、一面がスクリーン１０５で構成され、密閉空間を形成している。
【００１４】
第一筐体１０９において、１１１は光源ユニット冷却用ファンであり、１１２はレーザ光源ユニット１０１を冷却するために外気を取り込むための光源ユニット吸気口であり、１１３は主として上記電源部を冷却するための外気を取り込む電源吸気口であり、１１４は光源ユニット冷却用ファン１１から排出される空気および電気回路基板１０２を冷却した空気を筐体上方に排気する排気口である。
光源ユニット冷却用ファン１１１は、第一筐体１０９内に吸い込んだ空気を強制的に外部に排気して第一筐体１０９の内部を冷却するので、１１１は、第一筐体用冷却用ファンとも称すことができる。
なお、図２中における実線の矢印（→）は映像光束を示し、ブロック矢印（⇒）は筐体内の冷却空気の流れを示す。
【００１５】
図４は、図２のＢ−Ｂ′を通る面における縦断面図であり、第一筐体１０９の内部構成を示す図である。
図４において、２０１は、バンドル光ファイバ１０３が接続されており、光学ユニット１０４に３色以上のレーザ光を送り込むレーザ光源であり、２０２は、レーザ光源２０１を所定の温度以下に冷却するヒートパイプ式のレーザ光源冷却器である。
２０３は、レーザ光源２０１と接続されており、レーザ光源２０１を駆動するとともに、レーザ光源ユニット１０１からの発光を制御するレーザ光源基板であり、レーザ光源ユニット１０１に内装される。
【００１６】
レーザ光源ユニット１０１の外壁は、内装されるレーザ光源２０１およびレーザ光源基板２０３が発する電磁ノイズの筐体外への輻射を防ぐために、所定の大きさ以下の開口を持つ金属で構成される。
レーザ光源基板２０３は、電気回路基板１０２と接続、駆動されている。
２０４は、光学ユニット１０４とレーザ光源基板２０３を接続し、光学ユニット１０４の動作とレーザ光源ユニット１０１の動作を同期させるストロボケーブルである。
２０５は、電気回路基板１０２と光学ユニット１０４を接続し、光学ユニット１０４を駆動する光学ユニットケーブルである。
バンドル光ファイバ１０３、ストロボケーブル２０４および光学ユニットケーブル２０
５は、第一筐体１０９から密閉された第二筐体１１０の内部を接続しているため、その境界において、第二筐体１１０の内部への塵埃の侵入を抑制するために、空気の流れを抑制できる圧力損失が大きい「狭い隙間」を介して接続される。
【００１７】
図５は、光学ユニット１０４の詳細構成を示す図３のＣ−Ｃ′を通る鉛直な面における縦断面図である。
図５において、３０１は、照射光束を変調し、映像光束を生成する光変調素子（以下、光変調装置とも称す）である。
３０２は、光学ユニット１０４内の光学素子（例えば、後述するインテグレータロッド、リレーレンズ系、回転拡散板、投写レンズなど）を保持する金属製の光学ユニット筐体である。
３０３は、バンドル光ファイバ１０３から出射した多色レーザ光束を混合するとともに、光変調装置３０１の長方形の照射エリアを均一に照射させるように光束の外形を成形するガラス製のインテグレータロッドである。
【００１８】
３０４は、インテグレータロッド３０３から出射した光束を伝送するリレーレンズ系である。
３０５は、例えば中心に穴を開けたガラス円盤にマイクロレンズのフィルムを貼りつけた光拡散板を３相ブラシレスモータを用いて回転させることにより、光束の拡散性を高めて、リレーレンズ系３０４から出射した光の干渉性を低減し、均一に光変調素子（光変調装置）を照射する回転拡散板である。
３０６は、回転拡散板３０５を透過した光束を折り返す平面鏡、３０７は平面鏡３０６により折り返された光束を集光し、光変調装置３０１を照射する凹面鏡である。
【００１９】
３０８は、ガラス窓３０９の光軸に対する角度をボイスコイルモータを用いて微少量動かし、ガラス窓３０９の屈折効果を用いて光路をずらすことにより、投影映像を半画素分ずらして表示し、表示画素数を倍増させる透過型画素ずらし素子である。
３１０は、透過型画素ずらし素子３０８を透過してきた映像光束をスクリーン１０５に拡大投写する投写レンズである。
３１１は、光変調装置３０１を駆動する光変調装置制御基板であり、３１２は、金属製の光学ユニット筐体３０２と合わせて光変調装置制御基板３１１を電気遮蔽するシールドケースである。
【００２０】
３１３は、光変調装置３０１を背面から冷却する光変調装置冷却器であり、上下方向の直線フィンを備える。
３１４は、光変調装置冷却器３１３および光変調装置制御基板３１１に冷却風を送り込む光変調装置冷却用ファンであり、３１５は、光変調装置３０１と光変調相父冷却器３１２の間の接触熱抵抗を低減し、効果的に光変調素子を冷却するためのシリコーン樹脂製の熱伝導シートである。
３１６は、光変調装置冷却用ファン３１４からシールドケース３１２の内部に吹き込まれた空気をシールドケース３１２の上方に排出する排気口である。
なお、図５中における実線の矢印（→）は映像光束を示し、ブロック矢印（⇒）は冷却空気の流れを示す。
【００２１】
次に、本実施の形態におけるリアプロジェクタの冷却構造について説明する。
光学ユニット１０４内においては、光変調装置冷却器３１３は光変調装置制御基板３１１の下部に設置され、光変調装置冷却器３１３が備える上下方向の直線フィンにより、光変調装置冷却ファン３１４から吹き込まれた冷却風が上方に整流され、光学変調装置基板３１１とシールドケース３１２によって更に上方に導かれ、光変調装置冷却器３１３の上方に位置する光変調装置制御基板３１１の発熱部品を冷却し、排気口３１６から光学絵エンジンユニットの上方に排出される。
これにより、排気口３１６から排出された排気が光変調装置冷却用ファン３１４に直接吸い込まれることを抑制し、冷却効率が低下することが無い。
【００２２】
第二筐体１１０内においては、光学ユニット１０４から排出された主な排気は、周囲の空気より温度が高く軽いために、密閉された第二筐体１１０の内部を上昇する。
その間に、斜面となっている第二筐体１１０の背面側の壁面に衝突し、主な熱が壁面に伝達される。
更に、第二筐体１１０の全体に広がり筐体全体の壁面により冷却された後、下降し再び光学ユニット１０４が備える光変調装置冷却用ファン３１４に吸い込まれる。
これにより、光変調装置冷却用ファン３１４には密閉空間内部で冷却された空気が吸い込まれるため、冷却効率が低下しない。
なお、第二筐体１１０の内部に図示しない冷却ファンを備えることにより、第二筐体１１０の内の冷却効果を更に高めることができる。
【００２３】
主要な発熱源（例えば、レーザ光源２０１、電気回路基板１０２、電源部など）を内装している第一筐体１０９内においては、大きな開口部である光源ユニット吸気口１１２から取り込んだ大量の外気により、レーザ光源２０１が所定の温度以下に保つようにレーザ光源冷却器２０２を冷却する。
レーザ光源は熱に弱く、発熱量に比して大きな風量で冷却する必要があるため、レーザ光源冷却器２０２を通過した後でも空気の温度上昇は僅かであり、第二筐体１１０との間を隔てる境界壁面を十分に冷却することができる。
境界壁面を冷却した空気は、光源ユニット冷却用ファン１１１により光源ユニット１０１の内部から筐体外に排気される。
このため、第二筐体１１０の温度上昇を更に抑制することができるため、光変調装置３０１や光変調装置制御基板３１１などの光学素子の温度上昇も抑制することができる。
【００２４】
また、第一筐体１０９内に収められたレーザ光源ユニット１０１のレーザ光源２０１と第二筐体１１０内に収められた光学ユニット１０４は、バンドル光ファイバ１０３により接続されている。
そのため、レーザ光源２０１を駆動するために必要となるエネルギーのうち、可視光に変換された光エネルギーおよび光学ユニット１０４を駆動するための電気エネルギーのみが光学ユニット１０４にまで伝送される。
従って、第二筐体１１０内には最小限のエネルギーのみ供給され、レーザ光源２０１などを駆動するための大きなエネルギーは、通風冷却される第一筐体１０９内部で消費されるため、光路の防塵および安全のために密閉された第二筐体１１０内部の温度上昇を抑制することができる。
【００２５】
説明がやや重複するが、本実施の形態によるリアプロジェクタの特徴について以下に述べておく。
本実施の形態によるリアプロジェクタは、照明光束を出射する光源ユニットと、映像を変調する光変調装置と、照明光束を光変調装置に照射し、映像光束を生成する光学ユニットと、映像光束を拡大投写する非球面反射鏡と、映像光束が通過する光路と、投影される透過型のスクリーンと光学ユニットおよび光源ユニットを駆動する電気回路基板と、それらを内装する筐体とで構成されており、筐体は少なくとも二つの隔離された空間で構成されている。
そのうち一つの空間（即ち、第二筐体の空間）には、光学ユニットと非球面反射鏡と光路が内装されており、その一面は前記スクリーンで構成され、その他の面は筐体および、筐体内部の仕切りにより密閉されている。
また、第二筐体の密閉された空間の上方に設置された「開口部を備える空間（即ち、第一筐体の空間）」の内部には、光源ユニットおよび電気回路基板などの主要な発熱部が内装されている。
【００２６】
本実施の形態によれば、第二筐体の奥行きや袴部と呼ばれる筐体下部を大型化せずに、スクリーン、非球面反射鏡、光学ユニットおよびその内部にある光変調装置などに塵埃が付着することによる映像の劣化を抑制しつつ、単純な構造で光学ユニットの十分な冷却を可能とするため、スリムな印象のリアプロジェクタを実現できる。
【００２７】
また、本実施の形態によると、十分な開口部と冷却ファンを備えた第一筐体内に、発熱量の大きなレーザ光源ユニットや電気回路基板などを備えているので、複雑にダクトなどを引き回すことなく、電気回路基板およびレーザ光源ユニットを高効率に冷却することができるともに、レーザ光源ユニットから発生する騒音を抑制することができる。
また、本実施の形態によると、主要な発熱部を搭載した電気回路基板および光源ユニットを備え、開口部を備えた第一筐体が第二筐体の上方に設置され、その開口部がその側面および上面に設置され、その側面開口部から外気を吸い込み、レーザ光源ユニットおよび電気回路基板を冷却した空気が上面（上部）の開口部から排出されるので、たとえ筐体のスクリーンと対向する背面側を壁面に密着設置させたとしても、排気口が塞がれて光源ユニットおよび主要な電気回路基板の冷却が不十分となることを抑制できるため、リアプロジェクタの設置の自由度を損ねることがない。
【００２８】
また、本実施の形態によると、レーザ光が伝播する光路である光学ユニットおよび非球面反射鏡が内装される第二筐体が密閉されているため、第二筐体内部の光学素子上の傷等でレーザ光が反射されたとしても、反射したレーザ光が筐体（即ち、第二筐体）外に漏れ出すことはなく、投写光学系において十分な安全性を確保することができる。
また、光学ユニットは、光変調装置、光変調装置を冷却する光変調装置冷却器、光変調装置冷却用ファンと光変調装置を駆動・制御する光変調装置制御基板、および光変調装置と光変調装置制御基板と光変調装置冷却器を遮蔽する金属製のシールドケースとによって構成されており、シールドケースの開口部分は上方に設けることが望ましい。
そのとき、光学ユニットの下方に設置された光変調装置冷却用ファンによって、光変調装置冷却器に吹き付けて熱を奪った冷却風が更に光変調装置制御基板を冷却しながら上方に排出され、密閉空間である第二筐体の外壁から放熱される。
これにより、複雑な構造にすることなく、光変調装置冷却用ファンの吸い込み口付近の温度が上昇することを抑制することができるため、光学ユニットを効果的に冷却しつつ、光変調装置冷却用ファンが発生する騒音を抑制することができる。
【００２９】
また、本実施の形態によると騒音発生源の発生させる騒音が筐体外の漏れ出すことを抑制させることができるため、騒音発生源となる光学素子を用いた場合においても低騒音のリアプロジェクタを提供することができる。
また、本実施の形態によると、図示しない冷却ファンを更に設け、温度が高くなる密閉された第二筐体の壁面を強制空冷することにより、第二筐体内部の空気温度を低減し、第二筐体内部の素子温度を低減することができる。
【００３０】
以上説明したように、本実施の形態によるリアプロジェクタは、照明光束を出射する光源ユニット１０１と、光源ユニット１０１から出射された照明光束を導波する光ファイバと、光ファイバ１０３により導波された照明光束を光変調装置３０１により変調して映像光束を生成して出射する光学ユニット１０４と、光学ユニット１０４から出射された映像光束を拡大する非球面反射鏡１０６と、非球面反射鏡１０６で拡大された映像光束が投写されるスクリーン１０５と、光源ユニット１０１および光学ユニット１０４を駆動する電気回路基板１０２とで構成されたリアプロジェクタであって、光源ユニット１０１、光ファイバ１０３および電気回路基板１０２は、第一筐体１０９に内装され、光学ユニット１０４および非球面反射鏡１０６は、スクリーン１０５を前面とする第二筐体１１０の下部に内装され、第一筐体１０９は、第二筐体１１０の傾斜させた背面側において第二筐体１１０とは隔離されて配置されている。
第一筐体１０９は、第二筐体１１０の傾斜させた背面側において第二筐体１１０とは隔離されて配置され、光学ユニット１０４および非球面反射鏡１０６は第二筐体１１０の下部に内装されているので、筐体の奥行きや筐体下部が大型化するのを抑制でき、スリムな印象のリアプロジェクタを実現できる。
また、発熱部となる光源ユニット１０１および電気回路基板１０２を第一筐体１０９に纏めて内装しているので、冷却用の排気ダクトを複雑に引き回すことなく、光源ユニット１０１および電気回路基板１０２を効率良く冷却できる。
【００３１】
また、本実施の形態によるリアプロジェクタの第二筐体１１０は、密閉された構造であることを特徴とする。
第二筐体１１０は密閉構造であるので、塵埃の外部からの流入を防止でき、光変調装置３０１を含む光学ユニット１０４や非球面反射鏡１０６に塵埃が付着することに起因する映像の劣化を抑制できる。また、第二筐体１１０内部の光学素子上の傷等でレーザ光が反射されたとしても、レーザ光が第二筐体１１０の外部に漏れ出すことはなく、投写光学系において十分な安全性を確保することができる。
【００３２】
また、本実施の形態によるリアプロジェクタの光源ユニット１０１は、レーザ光源を用いている。
従って、光源に放電ランプを用いて場合に比べて、高速に点灯し、寿命が長い。更に、表示する色域を人間の可視域全体まで拡大することが可能となる。
【００３３】
また、本実施の形態によるリアプロジェクタの第一筐体１０９は、外気を吸い込むための吸気口（１１２、１１３）と、上方に設けた排気口（１１４）から上記第一筐体１０９内に吸い込んだ空気を強制的に外部に排気する第一筐体用冷却ファン（１１１）を備えている。
従って、第二筐体１１０に影響を与えることなく、発熱部である光源ユニット１０１および電気回路基板１０２を高効率に冷却できる。
【００３４】
また、本実施の形態によるリアプロジェクタの光学ユニット１０４は、光変調装置３０１を冷却するための冷却風を発生する光変調装置冷却用ファン３１４と、光変調装置３０１を制御する光変調装置制御基板３１１と、光変調装置制御基板３１１を電気遮蔽するシールドケース３１２と、光変調素子冷却用ファン３１４により発生する冷却風を光変調装置制御基板３１１とシールドケース３１２の間の空間を通して上方に設けられた排気口３１６から排出するように整流する光変調装置冷却器３１３を備える。
第二筐体１１０は密閉構造であるので、光学ユニット１０４を高効率に冷却しながらも、光変調装置冷却用ファン３１４の騒音が外部に漏れ出すことを抑制できる。
【００３５】
また、本実施の形態によるリアプロジェクタの光学ユニット１０４は、透過型画素ずらし素子や回転拡散板等の騒音発生源となる光学素子を備える。
第二筐体１１０は密閉構造であるので、光学ユニット１０４に透過型画素ずらし素子や回転拡散板等を用いても、これらが発生させる騒音が筐体外に漏れ出すことを抑制することができる。
【００３６】
また、本実施の形態によるリアプロジェクタは、第二筐体１１０の内部に冷却ファンを備える。
従って、密閉された第二筐体１１０の内部の壁面を強制的に空冷することが可能となり、密閉された第二筐体１１０の内部の温度を低減し、第二筐体内部の素子温度を低減することができる。
【産業上の利用可能性】
【００３７】
この発明は、塵埃の付着による映像の劣化を抑制し、高効率な冷却構造を有したリアプロジェクタの実現に有用である。
【図面の簡単な説明】
【００３８】
【図１】本発明によるリアプロジェクタの外観構造を示す斜視図である。
【図２】本発明によるリアプロジェクタの構成を示す縦断面図である。
【図３】本発明によるアプロジェクタの構成を示す横断面図である。
【図４】本発明によるリアプロジェクタの第一筐体の構成を示す図である。
【図５】本発明によるリアプロジェクタの光学ユニットの構成を示す図である。
【符号の説明】
【００３９】
１０１  レーザ光源ユニット            １０２  電気回路基板
１０３  バンドル光ファイバ            １０４  光学ユニット
１０５  スクリーン                    １０６  非球面反射鏡
１０７  平面ミラー                    １０８  光学ユニット支持台
１０９  第一筐体                      １１０  第二筐体
１１１  光源ユニット冷却用ファン      １１２  光源ユニット吸気口
１１３  電源吸気口                    １１４  排気口
２０１  レーザ光源                    ２０２  レーザ光源冷却器
２０３  レーザ光源基板                ２０４  ストロボケーブル
２０５  光学ユニットケーブル          ３０１  光変調装置
３０２  光学ユニット筐体              ３０３  インテグレータロッド
３０４  リレーレンズ系                ３０５  回転拡散板
３０６  平面鏡                        ３０７  凹面鏡
３０８  透過型画素ずらし素子          ３０９  ガラス窓、
３１０  投写レンズ                    ３１１  光変調装置制御基板
３１２  シールドケース                ３１３  光変調装置冷却器
３１４  光変調装置冷却用ファン        ３１５  熱伝導シート
３１６  排気口
【図１】
2010102187.tif 000003
【図２】
2010102187.tif 000004
【図３】
2010102187.tif 000005
【図４】
2010102187.tif 000006
【図５】
2010102187.tif 000007